(57)【要約】【課題】屋内外の水密、気密を確保することができ、開閉作動も容易なこと。【解決手段】扉枠１の内側の２つの扉体８の一側を回動自在に連結し、一方の扉体８の他側を、扉枠１の上下枠１ｂのガイドレール２９に沿って移動可能に設けられた戸先框７に回動自在に連結し、開扉時には扉体８を折り畳むとともに、扉枠１の下枠１ｂと屋内外の面とを略面一となるようにした折畳み扉におけるバリアフリー構造において、上記下枠１ｂのガイドレール２９を、複数の平行な突条２４によって形成する一方、上記戸先框７には、ガイドレール２９に沿って摺動自在なスライド金具３０を取り付け、扉体８の下部には、閉扉時に突条２４に接触するタイト材５３Ｂを取り付けた。【選択図】図５
2005350896.tif 000002
【特許請求の範囲】
【請求項１】
建物躯体に設けた扉枠の内側に配置された２つの扉体の一側を回動自在に連結し、一方の扉体の他側を、扉枠の上下枠のガイドレールに沿って移動可能に設けられた戸先框に回動自在に連結し、開扉時には上記２つの扉体を折り畳むとともに、上記扉枠の下枠とこの下枠に連続する屋内外の面とを略面一となるようにした折畳み扉におけるバリアフリー構造において、
上記下枠のガイドレールを、複数の平行な突条によって形成する一方、上記戸先框には、上記ガイドレールに沿って摺動自在なスライド金具を取り付け、上記扉体の下部には、閉扉時に上記突条に接触するタイト材を取り付けた
ことを特徴とする折畳み扉におけるバリアフリー構造。
【請求項２】
建物躯体に設けた扉枠の内側に配置された２つの扉体の各一方の縦框を継手框を介して回動自在に連結し、上記扉体の一方の扉体の他方の縦框を扉枠に回動可能に取り付け、他方の縦框を扉枠の上下枠のガイドレールに沿って移動可能に設けられた戸先框に回動自在に連結し、開扉時には上記２つの扉体を折り畳むとともに、上記扉枠の下枠の上面を略面一にした折畳み扉におけるバリアフリー構造において、
上記下枠のガイドレールを、下枠の長手方向に沿って形成された凹溝によって形成し、ガイドレールの屋内側に沿って上記凹溝よりも幅狭の溝を形成し、この溝には下枠の上面より上方に突出する有弾性のタイト材受けを取り付ける一方、
上記戸先框には、上記凹溝に沿って転動自在なローラを取り付け、扉体の下部には、閉扉時に上記凹溝の両側の下枠上面と上記タイト材受けとに接触するタイト材を取り付けた
ことを特徴とする折畳み扉におけるバリアフリー構造。
【請求項３】
前記タイト材受けの前記下枠の上面より突出する部分が断面山形に形成されている、請求項２に記載の折畳み扉におけるバリアフリー構造。
【請求項４】
前記タイト材受けの前記下枠の上面より突出する部分がフィン状に形成されている、請求項２に記載の折畳み扉におけるバリアフリー構造。
【発明の詳細な説明】
【技術分野】
【０００１】
本発明は、建物躯体の開口部に設けた複合サッシの折畳み扉の屋内側と屋外側とを段差の無い状態にする、折畳み扉におけるバリアフリー構造に関する。
【背景技術】
【０００２】
一般に、折畳み扉は２つの扉体を継手框を介して回動自在に連結し、一方の自由端を建物開口部のガイドレールに沿って移動可能とすることによって構成される。扉体には把手が設けられ、上記把手を屋外又は屋内側に押し引きすることで折畳み扉を開閉することができる。閉扉時には全ての扉体が面一状に並び、開扉時には扉体が折畳み状態となる。
【０００３】
ところで、最近は老人や幼児などが建物の開口部を通って屋外のデッキやバルコニーに出、又はデッキやバルコニーから屋内に入るときに、段差や仕切りをなくし、移動しやすくするバリアフリー構造が採用される傾向が強い。このため、サッシの下枠の上面と屋内側の床面と屋外側のデッキ面やバルコニーの床面とを略面一に連続するように設計される例が多くなってきている。
【０００４】
ところが、このようなバリアフリー構造は、引き戸サッシの例がほとんどで、建物開口部に折畳み扉を設けた開閉構造にはバリアフリー構造はなかった。
【０００５】
その理由は、折畳み扉と扉枠の下枠との間の気密、水密が困難だからである。すなわち、扉枠の下枠の上面と屋内側の床面と屋外側のデッキ面やバルコニーの床面とを略面一に連続させる構造では、屋外側からの風雨が屋内に入り込むのを防止するのが難しいのである。
【０００６】
従来の折畳み扉の下枠は屋内側が高く、屋外側が低くなるように段差をつけた構造となっており、このように屋外側が低い構造では、開扉時に扉体が下枠から離れることになんの問題もない。また、閉扉時には扉枠の屋内側の面を下枠の段差面に当接させることにより、屋内外の気密や水密は容易に確保することができる。
【０００７】
しかしながら、バリアフリー構造では、扉枠の下枠の上面は略水平状態となるように形成されるから、扉体と下枠との間には隙間がなければ扉体を折り畳むことができない。ところが、その逆に、隙間があると、折畳み扉と下枠との間の気密、水密を保持することができない、という問題が発生するのである。
【特許文献１】特開２００３−２７８４５公報
【発明の開示】
【発明が解決しようとする課題】
【０００８】
本発明は上記問題点を解消し、屋内外の水密、気密を確保することができるとともに、開閉作動も容易な折畳み扉におけるバリアフリー構造を提供することをその課題とする。
【課題を解決するための手段】
【０００９】
前記課題を解決するため、本発明に係る折畳み扉におけるバリアフリー構造は、建物躯体に設けた扉枠の内側に配置された２つの扉体の一側を回動自在に連結し、一方の扉体の他側を、扉枠の上下枠のガイドレールに沿って移動可能に設けられた戸先框に回動自在に連結し、開扉時には上記２つの扉体を折り畳むとともに、上記扉枠の下枠とこの下枠に連続する屋内外の面とを略面一となるようにした折畳み扉におけるバリアフリー構造において、上記下枠のガイドレールを、複数の平行な突条によって形成する一方、上記戸先框には、上記ガイドレールに沿って摺動自在なスライド金具を取り付け、上記扉体の下部には、閉扉時に上記突条に接触するタイト材を取り付けたことを特徴とする。
【００１０】
また、上記と同様のバリアフリー構造において、上記下枠のガイドレールを、下枠の長手方向に沿って形成された凹溝によって形成し、ガイドレールの屋内側に沿って上記凹溝よりも幅狭の溝を形成し、この溝には下枠の上面より上方に突出する有弾性のタイト材受けを取り付ける一方、上記戸先框には、上記凹溝に沿って転動自在なローラを取り付け、扉体の下部には、閉扉時に上記凹溝の両側の下枠上面と上記タイト材受けとに接触するタイト材を取り付けた構成にしてもよい。
【００１１】
この場合、前記タイト材受けの前記下枠の上面より突出する部分が断面山形に形成されていてもよく、あるフィン状に形成されていてもよい。
【発明の効果】
【００１２】
請求項１に係る発明によれば、閉扉時には下枠のガイドレールを構成する複数の突条と扉体の同数のタイト材とが多重に接触しているので、扉体の屋内外の水密、気密は良好に確保することができる。
【００１３】
また、開扉時には上記タイト材が弾性変形して下枠の突条から離反することができ、戸先框はスライド金具を介して下枠のガイドレールに沿って移動するので、扉体の折り畳みを容易に行なうことができる。
【００１４】
さらに、下枠のガイドレールは複数の突条によって構成されているから、ガイドレール上を通過する場合に滑り止めの機能を果たすとともに、屋外側から入り込む雨水をよく水返しして、防水を確実にすることができる。
【００１５】
請求項２に係る発明によれば、折畳み扉を開扉するときは、扉体の下框のタイト材は弾性により変形して下枠の上面から外れ、戸先框の下部の転動ローラは下枠のガイドレールに沿って転動する。したがって、扉体の折り畳みを良好に行なうことができる。
【００１６】
また、折畳み扉を閉扉すると、扉体の下框のタイト材は再びガイドレールの上面とタイト材受けに接触するので、扉体の屋内外の水密、気密は良好に確保することができ、しかも、下枠上面に沿って凹溝が形成されているとともに、さらにその屋内側にはタイト材受けが突出しているので、雨水は凹溝とタイト材受けで止められる。したがって、屋外側から入り込む雨水をよく水返しして、防水を確実にすることができる。
【００１７】
なお、タイト材受けはガイドレールの屋内側に沿って形成されているので、扉体の折り畳みに支障はない。
【００１８】
請求項３に係る発明によれば、タイト材受けの下枠上面より突出する部分が断面山形に形成されているので、その上に乗っても衝撃がないほか、滑り止め効果が高く、安全に通過することができる。
【００１９】
請求項４に係る発明によれば、タイト材受けの下枠上面より突出する部分がフィン状に形成されているので、扉体のタイト材とのなじみがよく、密着するので、水密、気密効果が非常に高い。
【実施例１】
【００２０】
図１は折畳み扉の外観図、図２は図１のＸ−Ｘ線上の断面図、図３は図１のＹ−Ｙ線上の断面図であり、建物躯体の扉枠１に左右一対の折畳み扉２、３が配置されている。扉枠１と折畳み扉２、３は、図２、図３等に示すように、屋外側の金属部ｐと屋内側の合成樹脂部ｑとからなる複合サッシであり、図４に示されるように、開扉時には屋外側に折り畳まれるように構成されている。
【００２１】
なお、折畳み扉の下枠の屋内側には室内の床面が、屋外側にはデッキやバルコニーの面がそれぞれほぼ面一に連続しているものとする。
【００２２】
扉枠１は、上枠１ａ、下枠１ｂ及び縦枠１ｃを方形に枠組みしてなり、図示しない建物躯体の扉開口部の内周にネジによって固定されている。上枠１ａ、下枠１ｂ及び縦枠１ｃの基本部分はそれぞれアルミニウムから成り、折畳み扉２、３の閉止時に屋内側に面する部位は合成樹脂から構成されている。上枠１ａ、下枠１ｂ及び縦枠１ｃの屋内側に面する部位には合成樹脂製のカバー９が取り付けられている。なお、上枠１ａにはその長手方向に沿って扉案内レール５が形成されている。
【００２３】
各折畳み扉２、３は、互いに離れた吊り元側の固定框６と突合せ可能な戸先框７との間に２枚の扉体８、８を回動自在に連結するとともに、上記２枚の扉体８、８も継手框１０を介して回動自在に連結してなるものである。そして、上記各框６、７、１０及び扉体８、８は、アルミニウムと合成樹脂とから構成されている。なお、固定框６と戸先框７の上部にはローラ金具１１が取り付けられ、ローラ金具１１を上記上枠１ａの扉案内レール５に転動自在に係合させることにより、固定框６と戸先框７のほか、これらの框の間に連結された２枚の扉体８、８と継手框１０が吊り下げられている。
【００２４】
固定框６には、中空のアルミニウム製框本体６ａの屋外側に突縁１４が形成され、突縁１４の先端には断面がＣ字形の軸状部１５が形成されている。図示しないが、固定框６の下部には落とし棒が設けられ、扉枠１の下枠に形成した受け穴に係合できるように構成されている。
【００２５】
戸先框７は固定框６と対称的形状をなすように形成され、中空のアルミニウム製框本体７ａの屋外側には突縁１４が形成され、突縁１４の先端には断面がＣ字形の軸状部１５が形成されている。また、戸先框７の屋内側には引き手１２が形成されている。
【００２６】
扉体８、８は上下框１６、１７と左右の縦框１８とにより方形に框組みされ、内側には二重ガラス２０が装着されている。扉体８の各框の屋内側に面する部位にも合成樹脂製のカバーが被覆されている。
【００２７】
また、扉体８の固定框６と戸先框７に連結される側の縦框１８の長手方向には、上記固定框６及び戸先框７に形成されたＣ字形の軸状部１５を回動自在に係合する軸受け溝２５が形成されている。
【００２８】
次に、上記２つの扉体８、８は継手框１０を介して連結されている。
【００２９】
継手框１０の框本体１０ａの屋内側には軸受け溝２６が形成されている。軸受け溝２６は屋外側に開口している。継手框１０の框本体１０ａの屋内外側には把手１３ａ、１３ｂが突設されている。
【００３０】
これに対し、上記扉体８の継手框１０に連結される縦框１８の屋内側端部にはその長手方向に沿って断面Ｃ字形の軸状部１５が形成されている。軸状部１５は上記継手框１０の框本体１０ａに形成された軸受け溝２６の内側に回動自在に係合されている。
【００３１】
次に、図５に示されるように、上記扉枠１の下枠１ｂとこの下枠１ｂに連続する屋内外の面ａ、ｂとは略面一となるように形成されている。
【００３２】
すなわち、上記下枠１ｂは下枠本体１９とその上に着脱自在に設けられた補助下枠２１とから構成されている。下枠本体１９の上部には、凹部２２が形成され、その屋内側には合成樹脂製の取付縁２３が取り付けられている。補助下枠２１は上方に複数の平行な突条２４を有するとともに、下部に取付部２８を備えた長尺の部材で、凹部２２内に配置され、取付部２８から挿通されたネジによって下枠本体１９に固定されている。下枠本体１９の屋内側の上面と、補助下枠２１の突条２４の上面は略面一で、わずかに屋外側が低く傾斜するように形成されている。そして、上記突条２４によって下枠１ｂのガイドレール２９が構成されている。
【００３３】
これに対し、上記戸先框７の下部には、上記ガイドレール２９に沿って摺動自在なスライド金具３０が取り付けられている。このスライド金具３０は図７に示されるように、下開口のコ字形部３０ａの上部に側開口のコ字形嵌合部３０ｂを形成したもので、図８に示されるように、嵌合部３０ｂを戸先框７の下端から中空部３１内に嵌合し、固定ネジ３２をコ字形部３０ａの下からネジ孔３０ｃを貫通させ、戸先框７の軸状部１５の内側に螺合させることによって固定されている。図５に示されるように、コ字形部３０ａの両側の側片３３は下枠１ｂの突条２４間の溝内に摺動可能に落としこまれている。
【００３４】
また、図６に示されるように、各扉体８の下框１７には合成樹脂またはゴム製のタイト材３４Ａが取り付けられている。タイト材３４Ａの下方には下枠１ｂの突条２４とほぼ同じ数、同じ間隔でフィン３５が形成されている。フィン３５は屋内側よりも屋外側のものがわずかに長くなるように形成されている。タイト材３４Ａの上部は取付金具３６のあり溝３７に嵌合して取り付けられ、さらに取付金具３６は、下框１７の下面に一体的にねじ止めされた補助下框３８に嵌合して取り付けられている。そして、下枠１ｂに取り付けられたタイト材３４Ａのフィン３５は閉扉状態では下枠１ｂの突条２４に接触して屋内外の気密と水密を確保している。
【００３５】
上記構成において、折畳み扉を開扉するときは、屋内側からは引き手１２と把手１３ａ、１３ｂを引き、屋外側からは把手１３ｂを引いて、継ぎ手框１０を屋外側に突出させて扉体８を折り畳む。このとき、扉体８の下枠１ｂのタイト材３４Ａは弾性によって変形してガイドレール２９の突条２４から外れる。また、戸先框７の下部のスライド金具３０は下枠１ｂのガイドレール２９に係合するので、ガイドレール２９から外れることはなく、ガイドレール２９に沿って摺動する。このようにして図４に示されるように、折り畳まれて開扉される。
【００３６】
折畳み扉を閉扉するときは、逆に継ぎ手框１０をガイドレール２９上に位置するように動かせばよい。これにより、扉体８の下枠１ｂのタイト材３４Ａは再びガイドレール２９の突条２４に接触する。
【００３７】
上述のバリアフリー構造によれば、閉扉時には下枠１ｂのガイドレール２９を構成する複数の突条２４と扉体８の同数のタイト材３４Ａとが４重、５重等に接触しているので、扉体８の屋内外の水密、気密は良好に確保することができ、屋外側から入り込む雨水をよく水返して、防水を確実にすることができる。
【００３８】
また、開扉時には上記タイト材３４Ａが弾性変形して下枠１ｂの突条２４から離反することができるので、扉体８の折り畳みを容易に行なうことができる。
【００３９】
さらに、開扉時には、下枠１ｂのガイドレール２９は突条２４によって構成されているから、ガイドレール２９上を通過する場合に滑り止めの機能を果たす。
【００４０】
しかも、上記突条２４は下枠本体１９に着脱自在な補助下枠２１に形成されているので、補助下枠２１を取り外して下枠本体１９と補助下枠２１を容易に清掃することができる。
【００４１】
なお、下枠１ｂに浸入した雨水は貫通孔４から下枠１ｂ内に流れ込み、さらに下枠１ｂの屋外側に形成された排水孔４ａから排水される。
【００４２】
なお、複合サッシにおいて、合成樹脂部ｑは閉扉時には扉枠１の下枠１ａと折畳み扉２、３の下框１７とができるだけ連続し、両者の間から金属部ｐが露出すること無いようにするのが好ましい。その１つの対策として、合成樹脂部ｑが途切れないように、室内側に配置された下框１７の合成樹脂部ｑを金属部ｐより下方に下方に延ばすようにするのがよい。他の例も同様である。
【実施例２】
【００４３】
次に、バリアフリー構造は、図９のように構成してもよい。すなわち、下枠１ｂのガイドレール２９は、下枠本体１９の長手方向に沿って形成された凹溝４０によって形成されている。凹溝４０は下枠本体１９の屋外側の凸部４１と、その屋内側にねじ止めされた補助材４２の逆Ｕ字形の凸部４３とによって形成されている。また、ガイドレール２９の屋内側に沿って上記凹溝４０よりも幅狭の嵌合溝４４が形成されている。
下枠１ｂには貫通孔４が形成されている。
【００４４】
これに対し、戸先框７には、上記凹溝４０に沿って転動自在なローラ４５が取り付けられている。ローラ４５はローラホルダ４６に支持され、ローラホルダ４６は戸先框７に嵌合固定されている。
【００４５】
また、上記戸先框７を除く扉体８の下部には、合成樹脂またはゴム製のタイト材３４Ｂが取り付けられている。タイト材３４Ｂの下部には屋内側と屋外側とに各２条の平行なフィン４７が設けられ、上部は補助下框４８のあり溝４９に嵌合装着されている。補助下框４８の一部は下框１７の下部の嵌合溝４４に嵌合されて一体的にネジ止めされている。このようにして下枠１ｂに取り付けられたタイト材３４Ｂのフィンは閉扉状態では下枠１ｂの上面に接触している。
【００４６】
さらに、ガイドレール２９の屋内側に沿って形成された嵌合溝４４には、その全長が下枠上面より上方に突出する有弾性のタイト材受け５３Ａが嵌合して取り付けられている。このタイト材受け５３Ａは上記嵌合溝４４に嵌合する基部５３ａと、基部５３ａの上部でガイドレール２９上面より突出する部分５３ｂとから構成されているが、突出部分５３ｂの断面は山形で、直角三角形状に形成されている。そして、閉扉状態ではタイト材受け５３Ａの屋外側の面に、扉体８の下框１７の屋内側のタイト材３４Ｂが接触している。
【００４７】
なお、突出部分５３ｂの断面は山形状であればよく、三角形状に限定されない。多角形状でも、円弧状でもよい。
【００４８】
このように、閉扉状態では、タイト材３４Ｂがガイドレール２９の上面とタイト材受け５３Ａに接触して屋内外の気密と水密を確保している。
【００４９】
上記構成において、折畳み扉を開扉するときは、扉体８の下框１７のタイト材３４Ｂは弾性によって変形して下枠１ｂの上面から外れる。また、戸先框７の下部の転動ローラ４５は下枠１ｂのガイドレール２９に沿って転動する。
【００５０】
折畳み扉を閉扉すると、扉体８の下框１７のタイト材３４Ｂは再び下枠１ｂの上面とタイト材受け５３Ａに接触する。
【００５１】
上述のバリアフリー構造によれば、閉扉時には下枠１ｂのガイドレール２９の上面と屋内側のタイト材受け５３Ａに扉体８の下部の２つの平行なタイト材３４Ｂが接触するので、扉体８の屋内外の水密、気密は良好に確保することができ、しかも、下枠１ｂ上面に沿って凹溝４０が形成されているとともに、さらにその屋内側にはタイト材受け５３Ａが突出しているので、雨水は凹溝とタイト材受け５３Ａで止められる。したがって、屋外側から入り込む雨水をよく水返して、防水を確実にすることができる。
【００５２】
また、開扉時には上記タイト材３４Ｂが弾性変形して下枠１ｂの上面から離反することができるので、扉体８の折り畳みを容易に行なうことができる。
【００５３】
さらに、開扉時には、下枠１ｂのガイドレール２９の屋内側に沿って設けられたタイト材受け５３Ａは有弾性であるから、その上に乗っても衝撃がないほか、滑り止め効果も高い。
【００５４】
加えて、補助材４３は下枠本体１９に着脱自在であるから、補助材を取り外せば、ガイドレール２９を清掃することができる。
【００５５】
なお、下枠１ｂに浸入した雨水は貫通孔４から下枠１ｂ内に流れ込み、さらに下枠１ｂの屋外側に形成された排水孔４ａから排水される。
【実施例３】
【００５６】
また、タイト材受けは、図１０のように構成してもよい。すなわち、下枠１ｂは、ガイドレール２９の屋内側に沿って形成された係止溝５５を除いては、図９の例と同じである。係止溝５５は、溝底が屋外側に低く傾斜するとともに、屋内側の溝壁に係止片５６が形成されている。これに対応し、上記係止溝５５には、タイト材受け５３Ｂが取り付けられている。タイト材受け５３Ｂは合成樹脂又はゴムからなり、基部５３ｃには上記係止片５６に係止する溝５６が形成され、ガイドレール２９上面より突出する突出部５３ｄはフィン状に形成されている。
【００５７】
なお、タイト材５３Ｂは係止溝５５の屋内側に偏った位置に配置され、係止溝５５の屋外側は開口している。
【００５８】
上記構成において、折畳み扉を開扉するときは、扉体８の下框１７のタイト材３４Ｂは弾性によって変形してガイドレール２９の上面から外れる。また、戸先框７の下部の転動ローラ４５は下枠１ｂのガイドレール２９に沿って転動する。
【００５９】
折畳み扉を閉扉すると、扉体８の下框１７のタイト材３４Ｂは再び下枠１ｂの上面とタイト材受け５３Ｂに接触する。
【００６０】
上述のバリアフリー構造によれば、閉扉時には下枠１ｂの上面と屋内側のタイト材受け５３Ｂに扉体８の下部の２つの平行なタイト材３４Ｂが接触するので、扉体８の屋内外の水密、気密は良好に確保することができ、しかも、下枠１ｂ上面に沿って凹溝４０が形成されているので、雨水は凹溝で止められる。さらに、凹溝４０の屋内側には係止溝５５とタイト材受け５３Ｂが形成され、係止溝５５の屋外側は開口しているので、凹溝４０を越えた雨水も係止溝５５に落ち、タイト材受け５３Ｂで水返しされて下枠１ｂ内に流れ込み、下枠１ｂの貫通孔４を通り屋外側排水孔４ａから排水される。したがって、屋外側から入り込む雨水をよく水返して、防水を確実にすることができる。
【００６１】
また、開扉時には上記タイト材３４Ｂが弾性変形して下枠１ｂの上面から離反することができるので、扉体８の折り畳みを容易に行なうことができる。
【００６２】
さらに、開扉時には、下枠１ｂのガイドレール２９の屋内側に沿って設けられたタイト材受け５３Ｂは有弾性であるから、その上に乗っても衝撃が小さく、人や車椅子の通過に差し支えない。
【００６３】
加えて、補助材は下枠本体１９に着脱自在であるから、補助材を取り外せば、ガイドレール２９を清掃することができる。
【図面の簡単な説明】
【００６４】
【図１】本発明に係る折畳み扉の外観図
【図２】図１のＸ−Ｘ線上の断面図
【図３】図１のＹ−Ｙ線上の断面図
【図４】折畳み扉の折畳み状態を示す横断面図
【図５】図３の要部の拡大断面図
【図６】図１のＺ−Ｚ線上の下部の拡大断面図
【図７】スライド金具の斜視図
【図８】スライド金具の取付態様を示す断面図
【図９】他のバリアフリー構造の拡大断面図
【図１０】さらに他のバリアフリー構造の拡大断面図
【符号の説明】
【００６５】
７  戸先框
８  扉体
２４  突条
３０  スライド金具
３３  ガイドレール
３４Ａ  タイト材
【図１】
2005350896.tif 000003
【図２】
2005350896.tif 000004
【図３】
2005350896.tif 000005
【図４】
2005350896.tif 000006
【図５】
2005350896.tif 000007
【図６】
2005350896.tif 000008
【図７】
2005350896.tif 000009
【図８】
2005350896.tif 000010
【図９】
2005350896.tif 000011
【図１０】
2005350896.tif 000012